(57)【要約】【課題】ユーザの選択したチャンネルの受信失敗時に、よりユーザの希望に沿った番組を提示することができ、利便性の向上した放送受信装置を提供する。【解決手段】テレビジョン受像機１００において、チャンネル情報記憶手段（チャンネルメモリ１４３等）により受信可能なチャンネルのチャンネル情報が記憶され、選局手段（チューナ３等）によりチャンネルが選局され、判断手段（判断プログラム１４６ｃ等）により、チャンネルが受信不可能であった場合に、当該チャンネルがチャンネル情報記憶手段に記憶されたチャンネルであるか否かが判断され、検索手段（検索プログラム１４６ｄ等）により、判断手段による判断結果に応じて、予め設定された条件に基づいて、チャンネル情報記憶手段により記憶されたチャンネル情報のうちから、現時点において視聴可能なチャンネルが検索され、表示部１２に表示される。【選択図】図１
2008103942.tif 000002
【特許請求の範囲】
【請求項１】
受信可能なテレビジョン放送のチャンネルのチャンネル情報を記憶するチャンネル情報記憶手段と、
予め所定のキーワードを登録する登録手段と、
ＥＰＧ情報を取得する取得手段と、
チャンネルを選局する選局手段と、
前記選局手段により選局されたチャンネルが受信不可能であった場合に、当該チャンネルが前記チャンネル情報記憶手段に記憶されたチャンネルであるか否かを判断する判断手段と、
前記判断手段により、前記チャンネルが前記チャンネル情報記憶手段に記憶されたチャンネルであると判断された場合に、前記取得手段により取得された前記ＥＰＧ情報に基づいて、前記登録手段により登録された前記所定のキーワードを含む番組を放送中のチャンネルを検索するとともに、前記判断手段により、前記チャンネルが前記チャンネル情報記憶手段に記憶されたチャンネルではないと判断された場合に、番組を放送中のチャンネルのうちから、前記選局手段により選局された前記チャンネルの番号に近い順に所定数のチャンネルを検索する検索手段と、
前記検索手段により検索された前記チャンネルを表示部に表示する表示制御手段と、
を備えることを特徴とする放送受信装置。
【請求項２】
受信可能なテレビジョン放送のチャンネルのチャンネル情報を記憶するチャンネル情報記憶手段と、
チャンネルを選局する選局手段と、
前記選局手段により選局されたチャンネルが受信不可能であった場合に、当該チャンネルが前記チャンネル情報記憶手段に記憶されたチャンネルであるか否かを判断する判断手段と、
前記判断手段による判断結果に応じて、予め設定された条件に基づいて、前記チャンネル情報記憶手段により記憶された前記チャンネル情報のうちから、現時点において視聴可能なチャンネルを検索する検索手段と、
前記検索手段により検索された前記チャンネルを表示部に表示する表示制御手段と、
を備えることを特徴とする放送受信装置。
【請求項３】
予め所定のキーワードを登録する登録手段と、
ＥＰＧ情報を取得する取得手段と、
を備え、
前記検索手段は、
前記判断手段により、前記チャンネルが前記チャンネル情報記憶手段に記憶されたチャンネルであると判断された場合に、前記取得手段により取得された前記ＥＰＧ情報に基づいて、前記登録手段により登録された前記所定のキーワードを含む番組を放送中のチャンネルを検索することを特徴とする請求項２に記載の放送受信装置。
【請求項４】
視聴履歴を記憶する視聴履歴記憶手段を備え、
前記検索手段は、
前記判断手段により、前記チャンネルが前記チャンネル情報記憶手段に記憶されたチャンネルであると判断された場合に、番組を放送中のチャンネルであって前記視聴履歴記憶手段に記憶された前記視聴履歴のうちから、視聴回数が多い順に所定数のチャンネルを検索することを特徴とする請求項２に記載の放送受信装置。
【請求項５】
前記判断手段により、前記チャンネルが前記チャンネル情報記憶手段に記憶されたチャンネルではないと判断された場合に、番組を放送中のチャンネルのうちから、前記選局手段により選局された前記チャンネルの番号に近い順に所定数のチャンネルを検索することを特徴とする請求項２〜４の何れか一項に記載の放送受信装置。
【発明の詳細な説明】
【技術分野】
【０００１】
本発明は、選択されたチャンネルの放送信号を受信する放送受信装置に関する。
【背景技術】
【０００２】
近年、デジタル放送の普及による放送番組の多様化や多チャンネル化に伴い、ユーザのチャンネル選局を容易にするための機能を備える放送受信装置が多々提案されている。
例えば、特許文献１には、ユーザにより入力されたデジタル放送番組のジャンルとキーワードに基づいて番組を検索する番組検索機能を備えたテレビジョン受像機が開示されている。
また、例えば、特許文献２には、ユーザにより登録されたキーワードが電子番組表に存在するか否かの検索処理の際に、キーワードと類似する文字列を含む番組の検索も行い、キーワードと類似する文字列を含む番組が検索された場合にこれを通知することにより、番組をより正確に検索することができる番組検索装置が開示されている。
また、例えば、特許文献３には、予めキーワードに該当する番組や、前の週の同じ時間帯に選局されたチャンネルを選局することにより、電源投入時等に、ユーザが最も希望すると思われるチャンネルが自動的に選局される選局受信装置が開示されている。
さらに、例えば、特許文献４には、ユーザによるチャンネル変更操作時に、その指定のチャンネルが放送されておらず選局失敗になったとき、適宜のチャンネル、即ち、メインチャンネルが同じでサブチャンネルが最小のチャンネル等を、自動的に選局するようにして、画面に何も表示されない状態になることを防止することができるデジタル／アナログ放送受信機が開示されている。
【特許文献１】特開２０００−１１５６４５号公報
【特許文献２】特開２００３−３１９２８５号公報
【特許文献３】特開２００６−１３８４０号公報
【特許文献４】特開２００２−２３２７９３号公報
【発明の開示】
【発明が解決しようとする課題】
【０００３】
しかしながら、特許文献１〜３に開示されたこれらの技術では、ユーザの選択したチャンネルが受信できなかった場合に、ユーザの希望に沿った番組を自動的に検索して提示することはできないという問題があった。また、特許文献４のデジタル／アナログ放送受信機では、ユーザの選択したチャンネルが受信できなかった場合に、メインチャンネルが同じでサブチャンネルが最小のチャンネル等が自動的に選局されることとなるが、ユーザの選択したチャンネルが受信できなかった場合の原因は１つではないため、その原因によっては必ずしもユーザの希望に沿った番組の検索ができないという問題があった。
【０００４】
本発明の課題は、ユーザの選択したチャンネルの受信失敗時に、よりユーザの希望に沿った番組を提示することができ、利便性の向上した放送受信装置を提供することである。
【課題を解決するための手段】
【０００５】
上記課題を解決するため、請求項１に記載の発明は、放送受信装置において、受信可能なテレビジョン放送のチャンネルのチャンネル情報を記憶するチャンネル情報記憶手段と、
予め所定のキーワードを登録する登録手段と、
ＥＰＧ情報を取得する取得手段と、
チャンネルを選局する選局手段と、
前記選局手段により選局されたチャンネルが受信不可能であった場合に、当該チャンネルが前記チャンネル情報記憶手段に記憶されたチャンネルであるか否かを判断する判断手段と、
前記判断手段により、前記チャンネルが前記チャンネル情報記憶手段に記憶されたチャンネルであると判断された場合に、前記取得手段により取得された前記ＥＰＧ情報に基づいて、前記登録手段により登録された前記所定のキーワードを含む番組を放送中のチャンネルを検索するとともに、前記判断手段により、前記チャンネルが前記チャンネル情報記憶手段に記憶されたチャンネルではないと判断された場合に、番組を放送中のチャンネルのうちから、前記選局手段により選局された前記チャンネルの番号に近い順に所定数のチャンネルを検索する検索手段と、
前記検索手段により検索された前記チャンネルを表示部に表示する表示制御手段と、
を備えることを特徴とする。
【０００６】
請求項２に記載の発明は、放送受信装置において、受信可能なテレビジョン放送のチャンネルのチャンネル情報を記憶するチャンネル情報記憶手段と、
チャンネルを選局する選局手段と、
前記選局手段により選局されたチャンネルが受信不可能であった場合に、当該チャンネルが前記チャンネル情報記憶手段に記憶されたチャンネルであるか否かを判断する判断手段と、
前記判断手段による判断結果に応じて、予め設定された条件に基づいて、前記チャンネル情報記憶手段により記憶された前記チャンネル情報のうちから、現時点において視聴可能なチャンネルを検索する検索手段と、
前記検索手段により検索された前記チャンネルを表示部に表示する表示制御手段と、
を備えることを特徴とする。
【０００７】
請求項３に記載の発明は、請求項２に記載の放送受信装置において、予め所定のキーワードを登録する登録手段と、
ＥＰＧ情報を取得する取得手段と、
を備え、
前記検索手段は、
前記判断手段により、前記チャンネルが前記チャンネル情報記憶手段に記憶されたチャンネルであると判断された場合に、前記取得手段により取得された前記ＥＰＧ情報に基づいて、前記登録手段により登録された前記所定のキーワードを含む番組を放送中のチャンネルを検索することを特徴とする。
【０００８】
請求項４に記載の発明は、請求項２に記載の放送受信装置において、視聴履歴を記憶する視聴履歴記憶手段を備え、
前記検索手段は、
前記判断手段により、前記チャンネルが前記チャンネル情報記憶手段に記憶されたチャンネルであると判断された場合に、番組を放送中のチャンネルであって前記視聴履歴記憶手段に記憶された前記視聴履歴のうちから、視聴回数が多い順に所定数のチャンネルを検索することを特徴とする。
【０００９】
請求項５に記載の発明は、請求項２〜４の何れか一項に記載の放送受信装置において、前記判断手段により、前記チャンネルが前記チャンネル情報記憶手段に記憶されたチャンネルではないと判断された場合に、番組を放送中のチャンネルのうちから、前記選局手段により選局された前記チャンネルの番号に近い順に所定数のチャンネルを検索することを特徴とする。
【発明の効果】
【００１０】
請求項１に記載の発明によれば、放送受信装置において、チャンネル情報記憶手段により受信可能なテレビジョン放送のチャンネルのチャンネル情報が記憶され、登録手段により予め所定のキーワードが登録され、取得手段によりＥＰＧ情報が取得され、選局手段によりチャンネルが選局され、判断手段により、選局手段により選局されたチャンネルが受信不可能であった場合に、当該チャンネルがチャンネル情報記憶手段に記憶されたチャンネルであるか否かが判断され、検索手段により、判断手段によりチャンネルがチャンネル情報記憶手段に記憶されたチャンネルであると判断された場合に、取得手段により取得されたＥＰＧ情報に基づいて、登録手段により登録された所定のキーワードを含む番組を放送中のチャンネルが検索されるとともに、判断手段によりチャンネルがチャンネル情報記憶手段に記憶されたチャンネルではないと判断された場合に、番組を放送中のチャンネルのうちから、選局手段により選局されたチャンネルの番号に近い順に所定数のチャンネルが検索され、表示制御手段により、検索手段により検索されたチャンネルが表示部に表示される。
すなわち、受信不可能であったチャンネルがチャンネル情報記憶手段に記憶されている場合には、チャンネル受信失敗の原因は電波障害や、放送の終了等である可能性が高いため、ユーザが予め登録したキーワードを含む別の番組を放送中のチャンネルが検索されてユーザに提示される。一方、受信不可能であったチャンネルがチャンネル情報記憶手段に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザの選択したチャンネルの受信失敗時には、チャンネルの受信失敗の原因に基づいて別のチャンネルの検索が行われることとなるため、よりユーザの希望に沿った番組を提示することができ、利便性の向上した放送受信装置を提供することができる。
【００１１】
請求項２に記載の発明によれば、放送受信装置において、チャンネル情報記憶手段により、受信可能なテレビジョン放送のチャンネルのチャンネル情報が記憶され、選局手段によりチャンネルが選局され、判断手段により、選局手段により選局されたチャンネルが受信不可能であった場合に、当該チャンネルがチャンネル情報記憶手段に記憶されたチャンネルであるか否かが判断され、検索手段により、判断手段による判断結果に応じて、予め設定された条件に基づいて、チャンネル情報記憶手段により記憶されたチャンネル情報のうちから、現時点において視聴可能なチャンネルが検索され、表示制御手段により、検索手段により検索されたチャンネルが表示部に表示される。
従って、ユーザの選択したチャンネルの受信失敗時には、チャンネルの受信失敗の原因に基づいて別のチャンネルの検索が行われることとなるため、よりユーザの希望に沿った番組を提示することができ、利便性の向上した放送受信装置を提供することができる。
【００１２】
請求項３に記載の発明によれば、請求項２に記載の発明の効果が得られるのは無論のこと、登録手段により予め所定のキーワードが登録され、取得手段によりＥＰＧ情報が取得され、検索手段により、判断手段によりチャンネルがチャンネル情報記憶手段に記憶されたチャンネルであると判断された場合に、取得手段により取得されたＥＰＧ情報に基づいて、登録手段により登録された所定のキーワードを含む番組を放送中のチャンネルが検索される。
すなわち、受信不可能であったチャンネルがチャンネル情報記憶手段に記憶されている場合には、チャンネル受信失敗の原因は電波障害や、放送の終了等である可能性が高いため、ユーザが予め登録したキーワードを含む別の番組を放送中のチャンネルが検索されてユーザに提示される。従って、ユーザが選局したチャンネルの受信失敗時には、チャンネル受信失敗の原因に基づいて、よりユーザの希望に沿った番組を提示することができる。
【００１３】
請求項４に記載の発明によれば、請求項２に記載の発明の効果が得られるのは無論のこと、視聴履歴記憶手段により視聴履歴が記憶され、検索手段により、判断手段によりチャンネルがチャンネル情報記憶手段に記憶されたチャンネルであると判断された場合に、番組を放送中のチャンネルであって視聴履歴記憶手段に記憶された視聴履歴のうちから、視聴回数が多い順に所定数のチャンネルが検索される。
すなわち、受信不可能であったチャンネルがチャンネル情報記憶手段に記憶されている場合には、チャンネル受信失敗の原因は電波障害や、放送の終了等である可能性が高いため、番組を放送中のチャンネルであって、過去の視聴履歴のうちから視聴回数が多い順に、別の番組を放送中のチャンネルが検索されてユーザに提示される。従って、ユーザが選局したチャンネルの受信失敗時には、チャンネル受信失敗の原因に基づいて、よりユーザの希望に沿った番組を提示することができる。
【００１４】
請求項５に記載の発明によれば、請求項２〜４の何れか一項に記載の発明の効果が得られるのは無論のこと、判断手段により、チャンネルがチャンネル情報記憶手段に記憶されたチャンネルではないと判断された場合に、番組を放送中のチャンネルのうちから、選局手段により選局されたチャンネルの番号に近い順に所定数のチャンネルが検索される。
すなわち、受信不可能であったチャンネルがチャンネル情報記憶手段に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザが選局したチャンネルの受信失敗時には、チャンネル受信失敗の原因に基づいて、よりユーザの希望に沿った番組を提示することができる。
【発明を実施するための最良の形態】
【００１５】
以下、図面を参照して、本発明を実施するための最良の形態を詳細に説明する。なお、発明の範囲は、図示例に限定されない。
【００１６】
（実施形態１）
実施形態１では、放送受信装置として、テレビジョン放送番組の視聴を行うテレビジョン受像機１００について説明する。
本実施形態１におけるテレビジョン受像機１００では、ユーザの選択したテレビジョン放送のチャンネルが選局処理において受信できなかった場合に、受信不可能であった当該チャンネルがチャンネルメモリ１４３（後述）に記憶されているか否かにより、受信失敗の原因に基づくそれぞれ異なる方法で、番組を放送中の別のチャンネルを検索する。具体的には、受信不可能であったチャンネルがチャンネルメモリ１４３に記憶されている場合には、チャンネル受信失敗の原因は電波障害や、放送の終了等である可能性が高いため、番組を放送中のチャンネルのうちから、ＥＰＧ（Electronic Program Guide：電子番組ガイド）情報に基づいて、ユーザが予め登録したキーワードを含む番組のチャンネルが検索されてユーザに提示される。一方、受信不可能であったチャンネルがチャンネルメモリ１４３に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザが選択したチャンネルの受信失敗時に、そのチャンネルの代わりに、チャンネル受信失敗の原因に基づくよりユーザの希望する番組を提示することができることとなる。
【００１７】
図１は、実施形態１におけるテレビジョン受像機１００の要部構成を例示するブロック図である。
図１に示すように、本テレビジョン受像機１００は、ユーザが遠隔操作によって各種指示を入力するためのキー入力部１と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ＴＳデコーダ５により分離されたＥＰＧ情報を復号するＥＰＧデコーダ８と、ビデオデコーダ６により復号された映像信号に対して所定の処理を行う映像処理部９と、オーディオデコーダ７により復号された音声信号に対して所定の処理を行う音声処理部１０と、映像処理部９により処理された映像信号にＯＳＤデータを付加するＯＳＤ回路１１と、映像処理部９により処理された映像信号を出力する表示部１２と、音声処理部１０により処理された音声信号を出力する音声出力部１３と、テレビジョン受像機１００全体を統括制御する制御部１４と、等を備えており、各部はバス１５により接続されている。
【００１８】
キー入力部１は、例えば、リモートコントローラ等であり、複数のキーを備え、ユーザによるキーの押下操作に応じて、当該押下されたキーに対応する入力操作信号を制御部１４に対して出力する。
具体的には、キー入力部１は、キーワード登録ボタン１ａを備えており、当該キーワード登録ボタン１ａの押下操作に応じて、希望する所定のキーワードをユーザが予め登録するためのキーワード登録画面の表示を指示する入力操作信号が、制御部１４に対して出力される。
【００１９】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための制御部１４からの制御出力に応じて、特定周波数帯の中間周波信号（IF信号）を受信し、当該中間周波信号に所定の処理を行って復調部４に出力する。チューナ３は、制御部１４からの制御に基づいて、所定のチャンネルの放送信号の受信を行うことにより、選局手段としての機能を果たす。
また、チューナ３は、電源投入時等の所定のタイミングで、制御部１４からの制御に基づいて、所定の周波数帯域における受信可能なチャンネルを検出するチャンネルスキャン処理を実行する。チューナ３によるチャンネルスキャン処理の検出結果は制御部１４に対して出力され、後述するチャンネルメモリ１４３に記憶されることとなる。
【００２０】
復調部４は、例えば、制御部１４からの制御に基づいて、チューナ３から出力された中間周波信号に対してデジタル復調や誤り訂正などの処理を実行し、トランスポートストリーム（TS）を生成して、ＴＳデコーダ５に出力する。
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ６に、オーディオストリームをオーディオデコーダ７に出力し、さらに、ＰＳＩ／ＳＩ等のデータストリームをＥＰＧデコーダ８又は制御部１４に供給する。
ＴＳデコーダ５で分離されたＳＩには、チャンネル番号、番組名、ジャンル、出演者、放送時刻、番組内容等の番組に関する情報であるＥＰＧ情報が含まれており、これらのＥＰＧ情報に基づいて、表示部１２においてＥＰＧ表示等が行われることとなる。
【００２１】
ビデオデコーダ６は、ＴＳデコーダ５から入力されたビデオストリームを復号し、逆ＤＣＴ変換や動き補償制御等を行い、映像データを生成して映像処理部９に出力する。また、オーディオデコーダ７は、ＴＳデコーダ５から入力されたオーディオストリームを復号し、音声データを生成して音声処理部１０に出力する。ＥＰＧデコーダ８は、ＴＳデコーダ５から入力されたＥＰＧ情報を復号して、制御部１４又はＯＳＤ回路１１に出力する。
【００２２】
映像処理部９は、ビデオデコーダ６から入力された映像データに対して、Ｄ／Ａ変換等の各種処理を施し、映像信号を生成する。また、音声処理部１０は、オーディオデコーダ７から入力された音声データに対して、Ｄ／Ａ変換等の各種処理を施し、音声信号を生成する。生成された映像信号は表示部１２に出力され、音声信号は音声出力部１３に出力される。
ＯＳＤ回路１１は、制御部１４からの指示出力に応じて、映像処理部９から出力された映像信号に、図示しないＯＳＤデータを合成する処理を行う。また、当該ＯＳＤ回路１１により、ＥＰＧ情報格納メモリ１４５に記憶されたＥＰＧ情報を映像信号に合成する処理が行われることにより、表示部１２におけるＥＰＧ表示が実現される。
【００２３】
表示部１２は、例えば、ＬＣＤ（Liquid Crystal Display）、ＰＤＰ（Plasma Display Panel）等のディスプレイ１２ａを備え、映像処理部９から入力された映像信号に基づく映像を当該ディスプレイ１２ａに表示させる。
音声出力部１３は、例えば、スピーカ１３ａ等を備え、音声処理部１０から入力された音声信号に基づく音声を当該スピーカ１３ａにより出力させる。
【００２４】
制御部１４は、ＣＰＵ（Central Processing Unit）１４１、ＲＡＭ（Random Access Memory）１４２、チャンネルメモリ１４３、キーワード格納メモリ１４４、ＥＰＧ情報格納メモリ１４５、ＲＯＭ（Read Only Memory）１４６等を備えて構成されている。
【００２５】
ＣＰＵ１４１は、テレビジョン受像機１００の各部から入力された入力信号に応じて、ＲＯＭ１４６に格納された各種プログラムを実行するとともに、実行にかかるプログラムに基づく出力信号を各部に出力することにより、テレビジョン受像機１００の動作全般を統括制御する。
【００２６】
ＲＡＭ１４２は、ＣＰＵ１４１のワークエリアとして用いられ、ＣＰＵ１４１によって各種プログラムが実行される際に生じる処理結果や、入力されたデータ等を一時的に記憶する。
【００２７】
チャンネルメモリ１４３は、例えば、ＥＰＲＯＭ（Erasable Programmable ROM）、フラッシュメモリ等の書き換え可能な半導体メモリであり、チャンネルスキャン処理によって受信可能なチャンネルとして検出されたチャンネルの周波数データ等を記憶する。当該チャンネルメモリ１４３は、受信可能なチャンネルのチャンネル情報を記憶することにより、チャンネル情報記憶手段としての機能を果たす。
【００２８】
キーワード格納メモリ１４４は、例えば、ＥＰＲＯＭ、フラッシュメモリ等の書き換え可能な半導体メモリであり、後述するキーワード登録プログラム１４６ａの実行において、ユーザにより登録されたキーワードを記憶する。当該キーワード格納メモリ１４４は、ユーザにより登録されたキーワードを記憶することにより、キーワード登録手段としての機能を果たす。
【００２９】
ＥＰＧ情報格納メモリ１４５は、例えば、ＥＰＲＯＭ、フラッシュメモリ等の書き換え可能な半導体メモリであり、後述するＥＰＧ情報取得プログラム１４６ｂの実行により取得されたＥＰＧ情報を記憶する。
【００３０】
ＲＯＭ１４６は、例えば、ＣＰＵ１４１によって実行される各種プログラムや、プログラムの実行にかかる初期設定値等のデータを記憶する。具体的には、ＲＯＭ１４６は、キーワード登録プログラム１４６ａ、ＥＰＧ情報取得プログラム１４６ｂ、判断プログラム１４６ｃ、検索プログラム１４６ｄ、表示制御プログラム１４６ｅ等の各種プログラムを格納している。
【００３１】
キーワード登録プログラム１４６ａは、ＣＰＵ１４１に、予め所定のキーワードを登録する機能を実現させるためのプログラムである。
具体的には、ＣＰＵ１４１は、例えば、キー入力部１における前述したキーワード登録ボタン１ａの押下操作に応じて、キーワード登録画面の表示を指示する入力操作信号が制御部１４に対して出力されると、当該入力操作信号に基づいて、希望する所定のキーワードをユーザに予め登録させるためのキーワード登録画面を表示部１２のディスプレイ１２ａに表示させる。
図２は、キーワード登録プログラム１４６ａの実行に際して、表示部１２のディスプレイ１２ａに表示されるキーワード登録画面の一例である。図２に示すように、キーワード登録画面では、例えば、ユーザが視聴を望む番組を検索するためのキーワードを、番組名、ジャンル、出演者名毎に、一又は複数個設定できるようになっている。また、図示は省略するものの、複数のキーワードを登録した場合には、併せて、各キーワードが検索条件となる優先順位を設定できるようになっていても良い。当該キーワード登録画面において登録されたキーワードは、キーワード格納メモリ１４４に出力され、記憶されることとなる。
ＣＰＵ１４１は、かかるキーワード登録プログラム１４６ａを実行することにより、登録手段として機能する。
【００３２】
ＥＰＧ情報取得プログラム１４６ｂは、ＣＰＵ１４１に、ＥＰＧ情報を取得する機能を実現させるためのプログラムである。
具体的には、ＣＰＵ１４１は、例えば、予め設定された時刻や、電源投入時等の所定のタイミングで、ＴＳデコーダ５に入力された放送信号から、当該放送信号に重畳されたＥＰＧ情報を分離し、分離されたＥＰＧ情報をＥＰＧデコーダ８において復号することにより、ＥＰＧ情報を取得する。当該ＥＰＧ情報には、例えば、チャンネル番号、番組名、ジャンル、出演者、放送開始・終了時刻、番組内容等の番組に関する情報が含まれている。取得されたＥＰＧ情報は、ＥＰＧ情報格納メモリ１４５に出力され、記憶されることとなる。
ＣＰＵ１４１は、かかるＥＰＧ情報取得プログラム１４６ｂを実行することにより、取得手段として機能する。
【００３３】
判断プログラム１４６ｃは、ＣＰＵ１４１に、チューナ３により選局されたチャンネルが受信不可能であった場合に、当該チャンネルがチャンネルメモリ１４３に記憶されたチャンネルであるか否かを判断する機能を実現させるためのプログラムである。当該判断プログラム１４６ｃの判断結果に基づいて、検索プログラム１４６ｄが実行されることとなる。
ＣＰＵ１４１は、かかる判断プログラム１４６ｃを実行することにより、判断手段として機能する。
【００３４】
検索プログラム１４６ｄは、ＣＰＵ１４１に、判断プログラム１４６ｃの実行により、受信不可能であったチャンネルがチャンネルメモリ１４３に記憶されたチャンネルであると判断された場合に、ＥＰＧ情報取得プログラム１４６ｂの実行により取得されたＥＰＧ情報に基づいて、キーワード登録プログラム１４６ａの実行により登録された所定のキーワードを含む番組を放送中のチャンネルを検索するとともに、判断プログラム１４６ｃの実行により、受信不可能であったチャンネルがチャンネルメモリ１４３に記憶されたチャンネルではないと判断された場合に、番組を放送中のチャンネルのうちから、チューナ３により選局され、受信不可能であったチャンネルの番号に近い順に所定数のチャンネルを検索する機能を実現させるためのプログラムである。
具体的には、ＣＰＵ１４１は、例えば、ユーザにより選択されたチャンネルが、選局処理において受信不可能であった場合に、チャンネルメモリ１４３を参照することにより、当該チャンネルがチャンネルメモリ１４３に記憶されていると判断すると、ＥＰＧ情報格納メモリ１４５に予め記憶されたＥＰＧ情報に基づいて、キーワード格納メモリ１４４に記憶されたキーワードを含む番組を放送中のチャンネルを検索する。ＣＰＵ１４１は、例えば、キーワード登録画面において登録された番組名、ジャンル、出演者名毎のキーワードに基づいて、番組名、ジャンル、出演者名毎のＥＰＧ情報を参照して、それぞれのキーワードに該当するチャンネルであって番組を放送中のチャンネルを検索する。
また、ＣＰＵ１４１は、ユーザにより選択されたチャンネルが、選局処理において受信不可能であった場合に、チャンネルメモリ１４３を参照することにより、当該チャンネルがチャンネルメモリ１４３に記憶されていないと判断すると、チャンネルメモリ１４３を参照することにより、番組を放送中のチャンネルのうちから、当該チャンネルの番号に近いチャンネル（すなわち、当該チャンネルの前後のチャンネル番号のチャンネル）を所定数（例えば、前後２つずつの計４つ）検索する。ＣＰＵ１４１は、かかる検索プログラム１４６ｄを実行することにより、検索手段として機能する。
【００３５】
表示制御プログラム１４６ｅは、ＣＰＵ１４１に、検索プログラム１４６ｄの実行により検索されたチャンネルを表示部１２に表示する機能を実現させるためのプログラムである。
図３は、当該表示制御プログラム１４６ｅの実行により、表示部１２のディスプレイ１２ａに表示される番組推薦画面を例示する図である。特に、図３（ａ）は、受信不可能であったチャンネルが、判断プログラム１４６ｃの実行において、チャンネルメモリ１４３に記憶されたチャンネルであると判断された場合に、検索プログラム１４６ｄの実行により、キーワード登録プログラム１４６ａの実行により登録された所定のキーワードを含む番組を放送中のチャンネルが、ＥＰＧ情報取得プログラム１４６ｂの実行により取得されたＥＰＧ情報に基づいて検索された結果が表示されている。また、図３（ｂ）は、受信不可能であったチャンネルが、判断プログラム１４６ｃの実行において、チャンネルメモリ１４３に記憶されたチャンネルでないと判断された場合に、検索プログラム１４６ｄの実行により、番組を放送中のチャンネルのうちから、チューナ３により選局されたチャンネルの番号に近い順に所定数のチャンネルが検索された結果が表示されている。
図３（ａ）に例示する番組推薦画面では、例えば、キーワードを多く含む番組順に、チャンネル番号や、番組名、ジャンル、出演者名等が、それぞれ対応付けられて表示されている。また、図３（ｂ）に例示する番組推薦画面では、例えば、番組を放送中のチャンネルのうちから、ユーザにより選択され、選局処理において受信不可能であったチャンネルの番号の前後２つずつのチャンネルが表示されている。ユーザは、これらの番組推薦画面において推薦されたチャンネルのうちから、視聴を希望する番組のチャンネルを、キー入力部１における図示しないアップダウンキー等の操作により適宜選択することができる。
ＣＰＵ１４１は、かかる表示制御プログラム１４６ｅを実行することにより、表示制御手段として機能する。
【００３６】
次に、図４を参照しながら、ＣＰＵ１４１により実行されるチャンネル検索・表示処理について説明する。当該チャンネル検索・表示処理は、ＣＰＵ１４１が、判断プログラム１４６ｃ、検索プログラム１４６ｄ、表示制御プログラム１４６ｅを実行することにより行われる。
【００３７】
まず、ステップＳ１において、キー入力部１の操作により、ユーザによるチャンネル選択操作が行われる。ステップＳ２において、ＣＰＵ１４１は、ステップＳ１におけるチャンネルの選択操作に基づいて、チューナ３等により選局処理を行い、ユーザにより選択されたチャンネルが受信可能か否かを判断する。ステップＳ２において、ＣＰＵ１４１は、ユーザにより選択されたチャンネルが受信可能であると判断すると（ステップＳ２；Ｙｅｓ）、ステップＳ３において、当該放送信号の受信を行い、受信した放送信号に基づく通常の映像・音声処理等を行い、本処理を終了する。
一方、ステップＳ２において、ＣＰＵ１４１は、ユーザにより選択されたチャンネルが選局処理において受信不可能であると判断すると（ステップＳ２；Ｎｏ）、ステップＳ４において、ユーザにより選択され、受信不可能であった当該チャンネルがチャンネルメモリ１４３に記憶されているか否かを判断する。ステップＳ４において、ＣＰＵ１４１は、ユーザにより選択されたチャンネルがチャンネルメモリ１４３に記憶されていると判断すると（ステップＳ４；Ｙｅｓ）、続くステップＳ５において、ユーザにより登録され、キーワード格納メモリ１４４に記憶されたキーワードを含む番組を放送中のチャンネルが有るか否かを、ＥＰＧ情報格納メモリ１４５に格納されたＥＰＧ情報に基づいて判断する。ＣＰＵ１４１は、ステップＳ５において、ユーザにより登録されたキーワードを含む番組を放送中のチャンネルが有ると判断すると（ステップＳ５；Ｙｅｓ）、ステップＳ７に進む。一方、ＣＰＵ１４１は、ステップＳ５において、ユーザにより登録されたキーワードを含む番組を放送中のチャンネルが無いと判断すると（ステップＳ５；Ｎｏ）、ステップＳ６に進む。
一方、ステップＳ４において、ＣＰＵ１４１は、ユーザにより選択されたチャンネルがチャンネルメモリ１４３に記憶されていないと判断すると（ステップＳ４；Ｎｏ）、ステップＳ６において、番組を放送中のチャンネルのうちから、ユーザにより選択されたチャンネルの番号に近い順に所定数のチャンネルを検索し、ステップＳ７に進む。
ステップＳ７において、ＣＰＵ１４１は、ステップＳ５又はステップＳ６におけるチャンネル検索処理において検索されたチャンネルを番組推薦画面に表示させ、本処理を終了する。
【００３８】
以上説明した実施形態１におけるテレビジョン受像機１００によれば、チャンネルメモリ１４３により受信可能なチャンネルのチャンネル情報が記憶され、ＣＰＵ１４１によるキーワード登録プログラム１４６ａの実行により予め所定のキーワードが登録され、ＥＰＧ情報取得プログラム１４６ｂの実行によりＥＰＧ情報が取得され、チューナ３によりチャンネルが選局され、判断プログラム１４６ｃの実行により、チューナ３により選局されたチャンネルが受信不可能であった場合に、当該チャンネルがチャンネルメモリ１４３に記憶されたチャンネルであるか否かが判断され、検索プログラム１４６ｄの実行により、判断プログラム１４６ｃの実行によりチャンネルがチャンネルメモリ１４３に記憶されたチャンネルであると判断された場合に、ＥＰＧ情報取得プログラム１４６ｂの実行により取得されたＥＰＧ情報に基づいて、キーワード登録プログラム１４６ａの実行により登録された所定のキーワードを含む番組を放送中のチャンネルが検索されるとともに、判断プログラム１４６ｃの実行によりチャンネルがチャンネルメモリ１４３に記憶されたチャンネルではないと判断された場合に、番組を放送中のチャンネルのうちから、チューナ３により選局されたチャンネルの番号に近い順に所定数のチャンネルが検索され、表示制御プログラム１４６ｅの実行により、検索プログラム１４６ｄの実行により検索されたチャンネルが表示部１２に表示される。
すなわち、受信不可能であったチャンネルがチャンネルメモリ１４３に記憶されている場合には、チャンネル受信失敗の原因は電波障害や、放送の終了等である可能性が高いため、ユーザが予め登録したキーワードを含む別の番組を放送中のチャンネルが検索されてユーザに提示される。一方、受信不可能であったチャンネルがチャンネルメモリ１４３に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザの選択したチャンネルの受信失敗時には、チャンネルの受信失敗の原因に基づいて別のチャンネルの検索が行われることとなるため、よりユーザの希望に沿った番組を提示することができ、利便性の向上した放送受信装置を提供することができる。
【００３９】
（実施形態２）
次に、実施形態２における放送受信装置としてのテレビジョン受像機２００について説明する。なお、以下の説明において、実施形態１と同一部分には同一の符号を付し、説明は省略することとする。
実施形態２におけるテレビジョン受像機２００では、ユーザの選択したテレビジョン放送のチャンネルが受信できず、さらに、当該チャンネルがチャンネルメモリ１４３に記憶されている場合に、ユーザが予め登録したキーワードを含む番組を検索するのではなく、視聴履歴に基づいて過去の視聴回数の多い番組を検索する点で、実施形態１のテレビジョン受像機２００と異なる。
すなわち、本実施形態２におけるテレビジョン受像機２００では、ユーザの選択したチャンネルが選局処理において受信できなかった場合に、受信不可能であった当該チャンネルがチャンネルメモリ１４３に記憶されているか否かにより、受信失敗の原因に基づくそれぞれ異なる方法で、番組を放送中の別のチャンネルを検索する。具体的には、受信不可能であったチャンネルがチャンネルメモリ１４３に記憶されている場合には、チャンネル受信失敗の原因は電波障害や、放送の終了等である可能性が高いため、番組を放送中のチャンネルであって視聴履歴格納メモリ１７２（後述）に記憶された視聴履歴のうちから、視聴回数が多い順に所定数のチャンネルを検索する。一方、受信不可能であったチャンネルがチャンネルメモリ１４３に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザが選局したチャンネルの受信失敗時に、そのチャンネルの代わりに、チャンネル受信失敗の原因に基づくよりユーザの希望する番組を提示することができることとなる。
【００４０】
図５は、実施形態２におけるテレビジョン受像機２００の要部構成を例示するブロック図である。
図５に示すように、本テレビジョン受像機２００は、ユーザが遠隔操作によって各種指示を入力するためのキー入力部１６と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ＴＳデコーダ５により分離されたＥＰＧ情報を復号するＥＰＧデコーダ８と、ビデオデコーダ６により復号された映像信号に対して所定の処理を行う映像処理部９と、オーディオデコーダ７により復号された音声信号に対して所定の処理を行う音声処理部１０と、映像処理部９により処理された映像信号にＯＳＤデータを付加するＯＳＤ回路１１と、映像処理部９により処理された映像信号を出力する表示部１２と、音声処理部１０により処理された音声信号を出力する音声出力部１３と、テレビジョン受像機２００全体を統括制御する制御部１７と、等を備えており、各部はバス１５により接続されている。
【００４１】
制御部１７は、ＣＰＵ１７１、ＲＡＭ１４２、チャンネルメモリ１４３、視聴履歴格納メモリ１７２、ＲＯＭ１７３等を備えて構成されている。
【００４２】
ＣＰＵ１７１は、テレビジョン受像機２００の各部から入力された入力信号に応じて、ＲＯＭ１７３に格納された各種プログラムを実行するとともに、実行にかかるプログラムに基づく出力信号を各部に出力することにより、テレビジョン受像機２００の動作全般を統括制御する。
【００４３】
視聴履歴格納メモリ１７２は、例えば、ＥＰＲＯＭ、フラッシュメモリ等の書き換え可能な半導体メモリであり、後述する視聴履歴取得プログラムの実行により取得された視聴履歴を記憶する。当該視聴履歴格納メモリ１７２は、視聴履歴を記憶することにより視聴履歴記憶手段としての機能を果たす。
【００４４】
ＲＯＭ１７３は、例えば、ＣＰＵ１７１によって実行される各種プログラムや、プログラムの実行にかかる初期設定値等のデータを記憶する。具体的には、ＲＯＭ１７３は、視聴履歴記憶プログラム１７３ａ、判断プログラム１７３ｂ、検索プログラム１７３ｃ、表示制御プログラム１７３ｄ等の各種プログラムを格納している。
【００４５】
視聴履歴記憶プログラム１７３ａは、ＣＰＵ１７１に、視聴履歴を記憶する機能を実現させるためのプログラムである。
具体的には、ＣＰＵ１７１は、例えば、テレビジョン受像機２００において番組の視聴が行われると、その都度、視聴した番組に関する視聴履歴データを視聴履歴格納メモリ１７２に蓄積する。当該視聴履歴は、例えば、番組名、チャンネル番号、ジャンル、視聴日時等のデータである。ＣＰＵ１７１は、例えば、視聴履歴が更新される度に、同一番組名の番組毎に視聴回数をカウントし、カウントした結果を所定の領域に記憶する。また、視聴履歴記憶プログラム１７３ａの実行により視聴履歴格納メモリ１７２内に格納された視聴履歴データは、格納されてから所定の期間（例えば、３か月）が経過すると自動的に削除されるようになっている。
なお、視聴回数は、番組名毎にカウントされる場合に限られず、例えば、チャンネル番号毎に視聴回数がカウントされる方法であっても良い。
ＣＰＵ１７１は、かかる視聴履歴記憶プログラム１７３ａを実行することにより、視聴履歴格納メモリ１７２とともに視聴履歴記憶手段として機能する。
【００４６】
判断プログラム１７３ｂは、ＣＰＵ１７１に、チューナ３により選局されたチャンネルが受信不可能であった場合に、当該チャンネルがチャンネルメモリ１４３に記憶されたチャンネルであるか否かを判断する機能を実現させるためのプログラムである。当該判断プログラム１７３ｂの判断結果に基づいて、検索プログラム１７３ｃが実行されることとなる。
ＣＰＵ１７１は、かかる判断プログラム１７３ｂを実行することにより、判断手段として機能する。
【００４７】
検索プログラム１７３ｃは、ＣＰＵ１７１に、判断プログラム１７３ｂの実行により、受信不可能であったチャンネルがチャンネルメモリ１４３に記憶されたチャンネルであると判断された場合に、番組を放送中のチャンネルであって視聴履歴格納メモリ１７２に記憶された視聴履歴のうちから、視聴回数が多い順に所定数のチャンネルを検索し、判断プログラム１７３ｂの実行により、チャンネルがチャンネルメモリ１４３に記憶されたチャンネルではないと判断された場合に、番組を放送中のチャンネルのうちから、チューナ３により選局され、受信不可能であったチャンネルの番号に近い順に所定数のチャンネルを検索する機能を実現させるためのプログラムである。
具体的には、ＣＰＵ１７１は、例えば、ユーザにより選択されたチャンネルが、選局処理において受信不可能であった場合に、チャンネルメモリ１４３を参照することにより、当該チャンネルがチャンネルメモリ１４３に記憶されていると判断すると、視聴履歴格納メモリ１７２に記憶された視聴履歴を参照して、予め所定の領域に記憶された視聴回数を読み出し、番組を放送中のチャンネルのうち、当該番組の視聴回数が多い順に所定数の（例えば、３つ）のチャンネルの視聴履歴情報を取得する。
また、ＣＰＵ１７１は、ユーザにより選択されたチャンネルが、選局処理において受信不可能であった場合に、チャンネルメモリ１４３を参照することにより、当該チャンネルがチャンネルメモリ１４３に記憶されていないと判断すると、チャンネルメモリ１４３を参照することにより、番組を放送中のチャンネルのうちから、当該チャンネルの番号に近いチャンネル（すなわち、当該チャンネルの前後のチャンネル番号のチャンネル）を所定数（例えば、前後１つずつの計２つ）検索する。
ＣＰＵ１７１は、かかる検索プログラム１７３ｃを実行することにより、検索手段として機能する。
【００４８】
表示制御プログラム１７３ｄは、ＣＰＵ１７１に、検索プログラム１７３ｃの実行により検索されたチャンネルを表示部１２に表示する機能を実現させるためのプログラムである。
図６は、当該表示制御プログラム１７３ｄの実行により、表示部１２のディスプレイ１２ａに表示される番組推薦画面を例示する図である。特に、図６（ａ）は、受信不可能であったチャンネルが、判断プログラム１７３ｂの実行において、チャンネルメモリ１４３に記憶されたチャンネルであると判断された場合に、検索プログラム１７３ｃの実行により、番組を放送中のチャンネルであって視聴履歴格納メモリ１７２に記憶された視聴履歴のうちから、当該番組の視聴回数が多い順に所定数のチャンネルが検索された結果が表示されている。また、図６（ｂ）は、受信不可能であったチャンネルが、判断プログラム１７３ｂの実行において、チャンネルメモリ１４３に記憶されたチャンネルでないと判断された場合に、検索プログラム１７３ｃの実行により、番組を放送中のチャンネルのうちから、チューナ３により選局されたチャンネルの番号に近い順に所定数のチャンネルが検索された結果が表示されている。
図６（ａ）に例示する番組推薦画面では、例えば、視聴回数の多い番組順に、チャンネル番号や、番組名、ジャンル等がそれぞれ対応付けられて表示されている。また、図６（ｂ）に例示する番組推薦画面では、例えば、ユーザにより選択され、選局処理において受信不可能であったチャンネルの番号の前後１つずつのチャンネルが、番組名、ジャンルとともに表示されている。ＣＰＵ１７１は、番組推薦画面においてチャンネル番号とともに表示する番組名や、ジャンル等の情報を、例えば、ＥＰＧ情報に基づいて適宜取得する。ユーザは、これらの番組推薦画面において推奨されたチャンネルのうちから、視聴を希望する番組のチャンネルを、キー入力部１６における図示しないアップダウンキー等の操作により適宜選択することができる。
ＣＰＵ１７１は、かかる表示制御プログラム１７３ｄを実行することにより、表示制御手段として機能する。
【００４９】
次に、図７を参照しながら、ＣＰＵ１７１により実行されるチャンネル検索・表示処理について説明する。当該チャンネル検索・表示処理は、ＣＰＵ１７１が、判断プログラム１７３ｂ、検索プログラム１７３ｃ、表示制御プログラム１７３ｄを実行することにより行われる。
【００５０】
まず、ステップＳ１１において、キー入力部１６の操作により、ユーザによるチャンネルの選択操作が行われる。ステップＳ１２において、ＣＰＵ１７１は、ステップＳ１１におけるチャンネルの選択操作に基づいて、チューナ３等により選局処理を行い、ユーザにより選択されたチャンネルが受信可能か否かを判断する。ステップＳ１２において、ＣＰＵ１７１は、ユーザにより選択されたチャンネルが受信可能であると判断すると（ステップＳ１２；Ｙｅｓ）、ステップＳ１３において、当該放送信号の受信を行い、受信した放送信号に基づく通常の映像・音声処理等を行い、本処理を終了する。
一方、ステップＳ１２において、ＣＰＵ１７１は、ユーザにより選択されたチャンネルが受信不可能であると判断すると（ステップＳ１２；Ｎｏ）、ステップＳ１４において、ユーザにより選択された当該チャンネルがチャンネルメモリ１４３に記憶されているか否かを判断する。ステップＳ１４において、ＣＰＵ１７１は、ユーザにより選択されたチャンネルがチャンネルメモリ１４３に記憶されていると判断すると（ステップＳ１４；Ｙｅｓ）、続くステップＳ１５において、視聴履歴格納メモリ１７２に記憶された視聴履歴に基づいて、番組を放送中のチャンネルであって過去に当該番組を所定回数以上（例えば、２回以上）視聴したチャンネルが有るか否かを判断する。ＣＰＵ１７１は、ステップＳ１５において、番組を放送中のチャンネルのうちから過去に当該番組を所定回数以上視聴したチャンネルが有ると判断すると（ステップＳ１５；Ｙｅｓ）、ステップＳ１６において、番組を放送中のチャンネルであって視聴履歴格納メモリ１７２に記憶された視聴履歴のうちから、視聴回数が多い順に所定数のチャンネルを検索する。一方、ＣＰＵ１７１は、ステップＳ１５において、番組を放送中のチャンネルのうち、過去に当該番組を所定回数以上視聴したチャンネルが無いと判断すると（ステップＳ１５；Ｎｏ）、ステップＳ１７に進む。
一方、ステップＳ１４において、ＣＰＵ１７１は、ユーザにより選択されたチャンネルがチャンネルメモリ１４３に記憶されていないと判断すると（ステップＳ１４；Ｎｏ）、ステップＳ１７において、番組を放送中のチャンネルのうちから、ユーザにより選択されたチャンネルの番号に近い順に所定数のチャンネルを検索し、ステップＳ１８に進む。
ステップＳ１８において、ＣＰＵ１７１は、ステップＳ１６又はステップＳ１７におけるチャンネル検索処理において検索されたチャンネルを番組推薦画面に表示させ、本処理を終了する。
【００５１】
以上説明した実施形態２におけるテレビジョン受像機２００によれば、チャンネルメモリ１４３により受信可能なチャンネルのチャンネル情報が記憶され、ＣＰＵ１７１による視聴履歴記憶プログラム１７３ａの実行により視聴履歴が取得され、チューナ３によりチャンネルが選局され、判断プログラム１７３ｂの実行により、チューナ３により選局されたチャンネルが受信不可能であった場合に、当該チャンネルがチャンネルメモリ１４３に記憶されたチャンネルであるか否かが判断され、検索プログラム１７３ｃの実行により、判断プログラム１７３ｂの実行によりチャンネルがチャンネルメモリ１４３に記憶されたチャンネルであると判断された場合に、番組を放送中のチャンネルであって視聴履歴格納メモリ１７２に記憶された視聴履歴のうちから、視聴回数が多い順に所定数のチャンネルが検索されるとともに、判断プログラム１７３ｂの実行によりチャンネルがチャンネルメモリ１４３に記憶されたチャンネルではないと判断された場合に、番組を放送中のチャンネルのうちから、チューナ３により選局されたチャンネルの番号に近い順に所定数のチャンネルが検索され、表示制御プログラム１７３ｄの実行により、検索プログラム１７３ｃの実行により検索されたチャンネルが表示部１２に表示される。
すなわち、受信不可能であったチャンネルがチャンネルメモリ１４３に記憶されている場合には、チャンネル受信失敗の原因は電波障害や、放送の終了等である可能性が高いため、番組を放送中のチャンネルであって、過去の視聴履歴のうちから視聴回数が多い順に、別の番組を放送中のチャンネルが検索されてユーザに提示される。一方、受信不可能であったチャンネルがチャンネルメモリ１４３に記憶されていない場合には、チャンネル受信失敗の原因はチャンネル番号の押し間違え等である可能性が高いため、番組を放送中のチャンネルのうちから、選局したチャンネルの番号に近いチャンネルが検索されてユーザに提示される。従って、ユーザの選択したチャンネルの受信失敗時には、チャンネルの受信失敗の原因に基づいて別のチャンネルの検索が行われることとなるため、よりユーザの希望に沿った番組を提示することができ、利便性の向上した放送受信装置を提供することができる。
【００５２】
なお、本発明は、上記実施の形態に限られることなく、本発明の趣旨を逸脱しない範囲において、種々の改良並びに設計の変更を行っても良い。
例えば、本実施形態では、ＥＰＧ情報が放送信号から取得される場合について説明したが、ＥＰＧ情報の取得方法はこれに限られることなく、例えば、インターネットから取得する構成であっても良い。
また、番組推薦画面の形式は、上記の実施形態において示したものに限られず、例えば、ＥＰＧ情報に基づいて、チャンネル番号、番組名、ジャンル、出演者、番組開始・終了時刻、番組内容等の情報のうちから、ユーザの選択したものが適宜表示される形式であっても良い。
また、実施形態１では、キーワードを番組名、ジャンル、出演者名毎に登録して、番組名、ジャンル、出演者名毎のＥＰＧ情報の中からそれぞれのキーワードを検索する場合について説明したが、登録するキーワードの種類・数等はこれに限られることなく、例えば、キーワードを番組名に含む番組のみを検索する方法を採用しても良い。
【図面の簡単な説明】
【００５３】
【図１】本発明にかかる実施形態１のテレビジョン受像機の要部構成を示すブロック図である。
【図２】実施形態１のキーワード登録プログラムの実行に際して、表示部に表示されるキーワード登録画面の一例である。
【図３】実施形態１の表示制御プログラムの実行に際して、表示部に表示される番組推薦画面の一例である。
【図４】実施形態１におけるチャンネル検索・表示処理を示すフローチャートである。
【図５】本発明にかかる実施形態２のテレビジョン受像機の要部構成を示すブロック図である。
【図６】実施形態２の表示制御プログラムの実行に際して、表示部に表示される番組推薦画面の一例である。
【図７】実施形態２におけるチャンネル検索・表示処理を示すフローチャートである。
【符号の説明】
【００５４】
１００、２００      テレビジョン受像機（放送受信装置）
３                  チューナ（選局手段）
１４１              ＣＰＵ（登録手段、取得手段、選局手段、判断手段、検索手段、表示制御手段）
１４３              チャンネルメモリ（チャンネル情報記憶手段）
１４４              キーワード登録メモリ（登録手段）
１４６ａ            キーワード登録プログラム（登録手段）
１４６ｂ            ＥＰＧ情報取得プログラム（取得手段）
１４６ｃ、１７３ｂ  判断プログラム（判断手段）
１４６ｄ、１７３ｃ  検索プログラム（検索手段）
１４６ｅ、１７３ｄ  表示制御プログラム（表示制御手段）
１７１              ＣＰＵ（視聴履歴記憶手段、選局手段、判断手段、検索手段、表示制御手段）
１７２          視聴履歴格納メモリ（視聴履歴記憶手段）
１７３ａ        視聴履歴記憶プログラム（視聴履歴記憶手段）
【図１】
2008103942.tif 000003
【図２】
2008103942.tif 000004
【図３】
2008103942.tif 000005
【図４】
2008103942.tif 000006
【図５】
2008103942.tif 000007
【図６】
2008103942.tif 000008
【図７】
2008103942.tif 000009